(57)【要約】      （修正有）【課題】インテリアとして室内に設置された太陽電池パネルの意匠性を高める。【解決手段】織物１は、縦糸２に横糸３が織り込まれた地組織と、地組織に縦糸２で織り込まれた箔または糸４とを備えている。箔または糸４は、太陽電池パネルで構成されている。箔または糸４は、幅１〜１０ｍｍの短冊状に形成されており、平織りで織り込まれている。横糸３は、幅０．２〜０．４ｍｍの短冊状に形成された紙製の箔または糸であり、箔または糸４の前後に綴織りで織り込まれている。織物１の左右の耳には、縦糸２よりも太いこわ５で横糸３及び箔または糸４が織り込まれている。こわ５は、金属で形成されており、各箔または糸４の端部に電気的に接続されている。織物１では、箔または糸４及び横糸３の幅に合わせ、箔または糸４が地越３〜１０本の地越で、横糸３が９０〜１５０本の地越でそれぞれ織り込まれている。【選択図】図１
2013007127.tif 000002
【特許請求の範囲】
【請求項１】
縦糸に横糸が織り込まれた地組織と、
太陽電池モジュールで構成され、前記地組織に前記縦糸で織り込まれた箔または糸とを備え、
前記箔または糸同士がこわ又は縦糸で電気的に接続されていることを特徴とする織物。
【請求項２】
前記横糸は、前記箔または糸の前後に綴織りで織り込まれていることを特徴とする請求項１に記載の織物。
【請求項３】
請求項１又は２に記載の織物からなることを特徴とするロールブラインド用スクリーン。
【請求項４】
請求項１又は２に記載の織物をスクリーンとして用いたことを特徴とするロールブラインド。
【発明の詳細な説明】
【技術分野】
【０００１】
本発明は、太陽電池モジュールが織り込まれた織物、該織物を用いたロールブラインド用スクリーン、及びロールブラインドに関する。
【背景技術】
【０００２】
下記の特許文献１では、太陽電池モジュールを透明プラスチックに取り付けてブラインドのスラットを形成することで、太陽電池パネルをインテリアとして屋内に設置することが考えられている。
【先行技術文献】
【特許文献】
【０００３】
【特許文献１】特開２０１１−３２８３７号公報
【発明の概要】
【発明が解決しようとする課題】
【０００４】
一般的に、太陽電池パネルは太陽光を反射しないことから黒色に見え、室内でインテリアとして使用するには意匠性が乏しかった。
【０００５】
本発明は斯かる課題に鑑みてなされたもので、インテリアとして室内に設置された太陽電池パネルの意匠性を高めることを目的とする。
【課題を解決するための手段】
【０００６】
このような目的を達成するために、本発明の織物は、縦糸に横糸が織り込まれた地組織と、太陽電池モジュールで構成され、前記地組織に前記縦糸で織り込まれた箔または糸とを備え、前記箔または糸同士がこわ（生地の耳）又は縦糸で電気的に接続されていることを特徴とする。
また、本発明は、前記横糸は、前記箔の前後に綴織りで織り込まれていることを特徴とする。
また、本発明のロールブラインド用スクリーンは、上記織物で形成されたことを特徴とする。
また、本発明のロールブラインドは、上記織物をスクリーンとして用いたことを特徴とする。
【発明の効果】
【０００７】
本発明によれば、太陽電池モジュールで構成された箔または糸を織物の地組織に織り込むことで、インテリアとして室内に設置された太陽電池パネルの意匠性を高めることができる。
【図面の簡単な説明】
【０００８】
【図１】本発明の一実施形態の織物を示す平面図である。
【発明を実施するための形態】
【０００９】
以下、図面を参照して、本発明の一実施形態の織物１を説明する。
本実施形態の織物１は、縦糸２に横糸３が織り込まれた地組織と、地組織に縦糸２で織り込まれた箔または糸４とを備えている。
【００１０】
箔または糸４は、太陽電池パネルで構成されている。また、箔または糸４は、幅１〜１０ｍｍの短冊状に形成されており、平織りで織り込まれている。
【００１１】
横糸３は、幅０．２〜０．４ｍｍの短冊状に形成された紙製の箔または糸であり、箔または糸４の前後に綴織りで織り込まれている。織物１の左右の耳には、縦糸２よりも太いこわ５で横糸３及び箔または糸４が織り込まれている。こわ５は、金属で形成されており、各箔または糸４の端部に電気的に接続されている。
【００１２】
織物１では、箔または糸４及び横糸３の幅に合わせ、箔または糸４が地越３〜１０本の地越で、横糸３が９０〜１５０本の地越でそれぞれ織り込まれている。織物１は、例えば、前端部にローラーパイプが、後端部にウエイトバーがそれぞれ固定され、ロールブラインド用スクリーンとして用いられる。
【００１３】
本実施形態によれば、太陽電池パネルで構成された箔または糸４を織物１の地組織に縦糸２で織り込み、箔または糸４同士をこわ５で電気的に接続することで、インテリアとして室内に設置される織物１を太陽電池パネルとして用いることができる。このため、インテリアとして室内に設置された太陽電池パネルの意匠性を高めることができる。従って、ロールブライド用スクリーンとして織物１を用い、太陽電池パネルを窓側に向けて設置することで、ロールブラインドの意匠性を損なうことなく、太陽電池パネルとしての機能をスクリーンに持たせることができる。
【００１４】
また、本実施形態によれば、箔または糸４の前後に横糸３を織り込むことで、箔または糸４の前後方向の移動を横糸３で規制でき、箔または糸４の前後方向の位置ずれを抑えることができる。しかも、横糸３を綴織りで織り込むことで、縦糸２に対し横糸３を強く固定でき、箔または糸４の位置ズレを効果的に抑えることができる。
【００１５】
また、本実施形態によれば、箔または糸４及び横糸３の幅に合わせて織り込みの地越を変えることで、箔または糸４が前後方向に潰れるのを防止しつつ横糸３の織物密度を高め、箔または糸４や横糸３が前後に位置ずれするのを効果的に防止できる。
【００１６】
なお、上記実施形態では、箔または糸４が平織りで織り込まれている場合について説明したが、地組織に対する箔または糸４の織込方法は任意であり、平織りには限定されない。また、横糸３の織込方法も任意であり、綴織りには限定されない。また、上記実施形態では、こわ５で箔または糸４同士を電気的に接続した場合について説明したが、金属製の縦糸２で箔または糸４同士を電気的に接続してもよい。
【００１７】
また、横糸３を構成する箔または糸４の材質は紙には限定されず、例えば金属製でもよい。また、箔または糸４同士の間に織り込まれる横糸３の数も任意であり、箔または糸４の幅や横糸３で織り上げる柄に応じて定めることができる。箔または糸４や横糸３を編み込む地越の本数も、箔または糸４や横糸３の幅、縦糸２に対する織込方法、織り上げる柄等に応じて定めることができる。
【００１８】
また、上記実施形態では、箔または糸４の前後に横糸３が織り込まれている場合につい説明したが、縦糸２に横糸３が織り込まれた地組織に、縦糸２で箔または糸４が織り込まれているのであれば、地組織の構成は任意である。また、箔または糸４を構成する太陽電池パネルの種類は、縦糸２に編み込むことができるのであれば任意であり、ＣＩＧＳ太陽電池や色素増感太陽電池等の太陽電池パネルを用いることができる。
【００１９】
また、上記実施形態では、本発明の織物１をロールブラインド用スクリーンに適用した場合について説明したが、本発明は、インテリアとして室内に設置される他の織物にも適用できる。
【符号の説明】
【００２０】
１      織物
２      縦糸
３      横糸
４      箔または糸
５      こわ
【図１】
2013007127.tif 000003